(57)【要約】【課題】  各コネクタの接続時の判別が容易になって、各コネクタを誤って接続するおそれがなく、作業性が向上するコネクタ配置構造を提供する。【解決手段】  このコネクタ配置構造は、第１のコネクタ結合体１と第２のコネクタ結合体２とを備える。第１のコネクタ結合体１は、第１の雄型コネクタ１１と第１の雌型コネクタ１０とを結合して形成される。第２のコネクタ結合体２は、第２の雄型コネクタ２１と第２の雌型コネクタ２０とを結合して形成される。第１の雄型コネクタ１１と第１の雌型コネクタ１０との結合方向と、第２の雄型コネクタ２１と第２の雌型コネクタ２０との結合方向とが、略同じになるように、第１のコネクタ結合体１と第２のコネクタ結合体２は、配置されている。第１のコネクタ結合体１は、結合方向の一方側に、第１の雄型コネクタ１１を配置し、第２のコネクタ結合体２は、結合方向の一方側に、第２の雌型コネクタ２０を配置している。【選択図】  図１
2006228611.tif 000002
【特許請求の範囲】
【請求項１】
第１の雄型コネクタと第１の雌型コネクタとを結合して形成される第１のコネクタ結合体と、
第２の雄型コネクタと第２の雌型コネクタとを結合して形成される第２のコネクタ結合体と
を備え、
上記第１の雄型コネクタと上記第１の雌型コネクタとの結合方向と、上記第２の雄型コネクタと上記第２の雌型コネクタとの結合方向とが、略同じになるように、上記第１のコネクタ結合体と上記第２のコネクタ結合体は、配置され、
上記第１のコネクタ結合体は、上記結合方向の一方側に、上記第１の雄型コネクタを配置し、
上記第２のコネクタ結合体は、上記結合方向の上記一方側に、上記第２の雌型コネクタを配置していることを特徴とするコネクタ配置構造。
【請求項２】
請求項１に記載のコネクタ配置構造において、
上記第１のコネクタ結合体の軸と上記第２のコネクタ結合体の軸は、平行であり、
上記第１のコネクタ結合体の中心点と上記第２のコネクタ結合体の中心点は、上記第１のコネクタ結合体の軸および上記第２のコネクタ結合体の軸に垂直に交わる同一の平面内にあることを特徴とするコネクタ配置構造。
【請求項３】
請求項１に記載のコネクタ配置構造において、
上記第１のコネクタ結合体の軸と上記第２のコネクタ結合体の軸は、平行であり、
上記第１のコネクタ結合体と上記第２のコネクタ結合体は、上記第１のコネクタ結合体の軸および上記第２のコネクタ結合体の軸に垂直に交わる所定平面を挟んでこの所定平面の両側にあることを特徴とするコネクタ配置構造。
【請求項４】
請求項１に記載のコネクタ配置構造において、
上記第１のコネクタ結合体の軸と上記第２のコネクタ結合体の軸は、同一の直線上にあることを特徴とするコネクタ配置構造。
【請求項５】
請求項１に記載のコネクタ配置構造において、
上記第１のコネクタ結合体と上記第２のコネクタ結合体は、同極であることを特徴とするコネクタ配置構造。
【発明の詳細な説明】
【技術分野】
【０００１】
この発明は、例えば、家庭用電気機器や事務用電子機器等に用いられるコネクタ配置構造に関する。
【背景技術】
【０００２】
従来、コネクタ配置構造は、図６に示すように、第１の雄型コネクタ１１１と第１の雌型コネクタ１１０とを結合して形成される第１のコネクタ結合体１０１と、第２の雄型コネクタ１２１と第２の雌型コネクタ１２０とを結合して形成される第２のコネクタ結合体１０２とを備えている（実開平１−１４２１７６号公報：特許文献１参照）。
【０００３】
上記第１の雄型コネクタ１１１と上記第１の雌型コネクタ１１０との結合方向と、上記第２の雄型コネクタ１２１と上記第２の雌型コネクタ１２０との結合方向とが、略同じになるように、上記第１のコネクタ結合体１０１と上記第２のコネクタ結合体１０２は、配置されている。
【０００４】
上記第１のコネクタ結合体１０１は、上記結合方向の一方側（図中右側）に、上記第１の雄型コネクタ１１１を配置し、上記第２のコネクタ結合体１０２は、上記結合方向の上記一方側（図中右側）に、上記第２の雄型コネクタ１２１を配置している。
【０００５】
しかしながら、上記従来のコネクタ配置構造では、上記結合方向の一方側および他方側のそれぞれには、互いに型が同じであるコネクタが配置されているので、上記第１のコネクタ結合体１０１および上記第２のコネクタ結合体１０２を同時に形成する場合で、上記結合方向の一方側（図中右側）にあるコネクタに、上記結合方向の他方側（図中左側）にあるコネクタを結合するとき、結合する相手を判別し難い。
【０００６】
すなわち、上記第１の雌型コネクタ１１０と上記第２の雄型コネクタ１２１とを、てれこに、接続し、上記第２の雌型コネクタ１２０と上記第１の雄型コネクタ１１１とを、てれこに、接続するおそれがあった。このように、各コネクタの接続時の判別が困難で、各コネクタを誤って接続するおそれがあり、作業性が劣る。
【０００７】
また、従来では、上述の接続の誤りを防止するために、図６に示すように、あえて、上記第１のコネクタ結合体１０１に２極（図中「２Ｐ」と示す）のコネクタを用い、上記第２のコネクタ結合体１０２に１極の空きを設けた３極（図中「３Ｐ」と示す）のコネクタを用いている。しかし、空きを設けて異極のコネクタを用いると、部品の標準化が図れず、量産性に劣る。
【特許文献１】実開平１−１４２１７６号公報（第３図）
【発明の開示】
【発明が解決しようとする課題】
【０００８】
そこで、この発明の課題は、各コネクタの接続時の判別が容易になって、各コネクタを誤って接続するおそれがなく、作業性が向上するコネクタ配置構造を提供することにある。
【課題を解決するための手段】
【０００９】
上記課題を解決するため、この発明のコネクタ配置構造は、
第１の雄型コネクタと第１の雌型コネクタとを結合して形成される第１のコネクタ結合体と、
第２の雄型コネクタと第２の雌型コネクタとを結合して形成される第２のコネクタ結合体と
を備え、
上記第１の雄型コネクタと上記第１の雌型コネクタとの結合方向と、上記第２の雄型コネクタと上記第２の雌型コネクタとの結合方向とが、略同じになるように、上記第１のコネクタ結合体と上記第２のコネクタ結合体は、配置され、
上記第１のコネクタ結合体は、上記結合方向の一方側に、上記第１の雄型コネクタを配置し、
上記第２のコネクタ結合体は、上記結合方向の上記一方側に、上記第２の雌型コネクタを配置していることを特徴としている。
【００１０】
この発明のコネクタ配置構造によれば、上記結合方向の上記一方側には、（互いに型が相違している）上記第１の雄型コネクタおよび上記第２の雌型コネクタが配置され、上記結合方向の他方側には、（互いに型が相違している）上記第１の雌型コネクタおよび上記第２の雄型コネクタが配置される。
【００１１】
したがって、上記第１のコネクタ結合体および上記第２のコネクタ結合体を同時に形成する場合で、上記結合方向の一方側にあるコネクタに、上記結合方向の他方側にあるコネクタを結合するとき、一目で、結合する相手を判別できる。すなわち、上記第１の雄型コネクタと上記第２の雄型コネクタとは、てれこに、接続されず、上記第１の雌型コネクタと上記第２の雌型コネクタとは、てれこに、接続されない。
【００１２】
このように、各コネクタの接続時の判別が容易になって、各コネクタを誤って接続するおそれがなく、作業性が向上する。
【００１３】
また、一実施形態のコネクタ配置構造では、上記第１のコネクタ結合体の軸と上記第２のコネクタ結合体の軸は、平行であり、
上記第１のコネクタ結合体の中心点と上記第２のコネクタ結合体の中心点は、上記第１のコネクタ結合体の軸および上記第２のコネクタ結合体の軸に垂直に交わる同一の平面内にある。
【００１４】
この一実施形態のコネクタ配置構造によれば、上記第１のコネクタ結合体と上記第２のコネクタ結合体は、並列状に配列されているので、上記第１のコネクタ結合体と上記第２のコネクタ結合体とを整然と配置でき、上記第１のコネクタ結合体の軸および上記第２のコネクタ結合体の軸に平行な方向の配置スペースを小さくできる。
【００１５】
また、一実施形態のコネクタ配置構造では、上記第１のコネクタ結合体の軸と上記第２のコネクタ結合体の軸は、平行であり、
上記第１のコネクタ結合体と上記第２のコネクタ結合体は、上記第１のコネクタ結合体の軸および上記第２のコネクタ結合体の軸に垂直に交わる所定平面を挟んでこの所定平面の両側にある。
【００１６】
この一実施形態のコネクタ配置構造によれば、上記第１のコネクタ結合体と上記第２のコネクタ結合体は、上記第１のコネクタ結合体の軸および上記第２のコネクタ結合体の軸に垂直な方向に、重なっていないので、上記第１のコネクタ結合体および上記第２のコネクタ結合体を同時に形成する場合で、上記結合方向の一方側にあるコネクタに、上記結合方向の他方側にあるコネクタを結合するとき、結合する相手を一層認識しやすい。
【００１７】
また、一実施形態のコネクタ配置構造では、上記第１のコネクタ結合体の軸と上記第２のコネクタ結合体の軸は、同一の直線上にある。
【００１８】
この一実施形態のコネクタ配置構造によれば、上記第１のコネクタ結合体と上記第２のコネクタ結合体は、直列状に配列されているので、上記第１のコネクタ結合体の軸および上記第２のコネクタ結合体の軸に垂直な方向の配置スペースを小さくできる。
【００１９】
また、一実施形態のコネクタ配置構造では、上記第１のコネクタ結合体と上記第２のコネクタ結合体は、同極である。
【００２０】
この一実施形態のコネクタ配置構造によれば、上記第１のコネクタ結合体と上記第２のコネクタ結合体は、同極であるので、部品の標準化が図れ、量産性が向上する。
【発明の効果】
【００２１】
この発明のコネクタ配置構造によれば、上記結合方向の一方側および他方側のそれぞれには、互いに型が相違するコネクタが配置されているので、各コネクタの接続時の判別が容易になって、各コネクタを誤って接続するおそれがなく、作業性が向上する。
【発明を実施するための最良の形態】
【００２２】
以下、この発明を図示の実施の形態により詳細に説明する。
【００２３】
（第１の実施形態）
図１は、この発明のコネクタ配置構造の一実施形態である簡略構成図を示している。このコネクタ配置構造は、例えば、冷蔵庫等の家庭用電気機器や、ファクシミリ等の事務用電子機器に用いられる。
【００２４】
このコネクタ配置構造は、第１のコネクタ結合体１と第２のコネクタ結合体２とを備える。上記第１のコネクタ結合体１は、第１の雄型コネクタ１１と第１の雌型コネクタ１０とを結合して形成される。上記第２のコネクタ結合体２は、第２の雄型コネクタ２１と第２の雌型コネクタ２０とを結合して形成される。
【００２５】
上記第１の雄型コネクタ１１と上記第１の雌型コネクタ１０との結合方向と、上記第２の雄型コネクタ２１と上記第２の雌型コネクタ２０との結合方向とが、略同じになるように、上記第１のコネクタ結合体１と上記第２のコネクタ結合体２は、配置されている。
【００２６】
上記第１のコネクタ結合体１は、上記結合方向の一方側（図中右側）に、上記第１の雄型コネクタ１１を配置し、上記結合方向の他方側（図中左側）に、上記第１の雌型コネクタ１０を配置している。
【００２７】
上記第２のコネクタ結合体２は、上記結合方向の上記一方側（図中右側）に、上記第２の雌型コネクタ２０を配置し、上記結合方向の上記他方側（図中左側）に、上記第２の雄型コネクタ２１を配置している。
【００２８】
すなわち、この発明のコネクタ配置構造では、上記結合方向の一方側および他方側のそれぞれには、互いに型が相違するコネクタが配置されている。
【００２９】
上記第１の雌型コネクタ１０には、雄端子を先端に有するワイヤ１０ａの雄端子が内蔵され、上記第１の雄型コネクタ１１には、雌端子を先端に有するワイヤ１１ａの雌端子が内蔵されている。
【００３０】
上記第２の雌型コネクタ２０には、雄端子を先端に有するワイヤ２０ａの雄端子が内蔵され、上記第２の雄型コネクタ２１には、雌端子を先端に有するワイヤ２１ａの雌端子が内蔵されている。
【００３１】
上記第１のコネクタ結合体１と上記第２のコネクタ結合体２は、同極である。すなわち、上記第１の雌型コネクタ１０および上記第２の雌型コネクタ２０のそれぞれに内蔵される雄端子の数と、上記第１の雄型コネクタ１１および上記第２の雄型コネクタ２１のそれぞれに内蔵される雌端子の数とは、同一である。
【００３２】
上記第１のコネクタ結合体１の軸Ａ１と上記第２のコネクタ結合体２の軸Ａ２は、平行である。上記第１のコネクタ結合体１の中心点Ｐ１と上記第２のコネクタ結合体２の中心点Ｐ２は、上記第１のコネクタ結合体１の軸Ａ１および上記第２のコネクタ結合体２の軸Ａ２に垂直に交わる同一の平面内にある。
【００３３】
上記構成のコネクタ配置構造によれば、図２に示すように、上記第１のコネクタ結合体１および上記第２のコネクタ結合体２を同時に形成する場合で、上記結合方向の一方側にあるコネクタ（つまり、上記第１の雄型コネクタ１１および上記第２の雌型コネクタ２０）に、上記結合方向の他方側にあるコネクタ（上記第１の雌型コネクタ１０および上記第２の雄型コネクタ２１）を結合するとき、一目で、結合する相手を判別できる。
【００３４】
すなわち、上記第１の雄型コネクタ１１と上記第２の雄型コネクタ２１とは、てれこに、接続されず、上記第１の雌型コネクタ１０と上記第２の雌型コネクタ２０とは、てれこに、接続されない。このように、各コネクタ１０，１１，２０，２１の接続時の判別が容易になって、各コネクタ１０，１１，２０，２１を誤って接続するおそれがなく、作業性が向上する。
【００３５】
また、上記第１のコネクタ結合体１と上記第２のコネクタ結合体２は、並列状に配列されているので、上記第１のコネクタ結合体１と上記第２のコネクタ結合体２とを整然と配置でき、上記第１のコネクタ結合体１の軸Ａ１および上記第２のコネクタ結合体２の軸Ａ２に平行な方向の配置スペースを小さくできる。
【００３６】
また、上記第１のコネクタ結合体１と上記第２のコネクタ結合体２は、同極であるので、部品の標準化が図れ、量産性が向上する。
【００３７】
（第２の実施形態）
図３は、この発明のコネクタ配置構造の第２の実施形態を示している。上記第１の実施形態と相違する点を説明すると、この第２の実施形態では、上記第１のコネクタ結合体１の軸Ａ１と上記第２のコネクタ結合体２の軸Ａ２は、平行である。上記第１のコネクタ結合体１と上記第２のコネクタ結合体２は、上記第１のコネクタ結合体１の軸Ａ１および上記第２のコネクタ結合体２の軸Ａ２に垂直に交わる所定平面Ｓを挟んでこの所定平面Ｓの両側にある。
【００３８】
すなわち、上記第１のコネクタ結合体１と上記第２のコネクタ結合体２は、上記第１のコネクタ結合体１の軸Ａ１および上記第２のコネクタ結合体２の軸Ａ２に垂直な方向に、重なっていない。
【００３９】
このコネクタ配置構造によれば、図４に示すように、上記第１のコネクタ結合体１および上記第２のコネクタ結合体２を同時に形成する場合で、上記結合方向の一方側にあるコネクタ（つまり、上記第１の雄型コネクタ１１および上記第２の雌型コネクタ２０）に、上記結合方向の他方側にあるコネクタ（上記第１の雌型コネクタ１０および上記第２の雄型コネクタ２１）を結合するとき、上記一方側にあるコネクタは、互いに、重なっていないので、この一方側のコネクタを一層判別しやすくなる。したがって、各コネクタの接続間違いを防止できて、作業性が一層向上する。
【００４０】
（第３の実施形態）
図５は、この発明のコネクタ配置構造の第３の実施形態を示している。上記第１の実施形態と相違する点を説明すると、この第３の実施形態では、上記第１のコネクタ結合体１の軸Ａ１と上記第２のコネクタ結合体２の軸Ａ２は、同一の直線上にある。
【００４１】
このように、上記第１のコネクタ結合体１と上記第２のコネクタ結合体２は、直列状に配列されているので、上記第１のコネクタ結合体１の軸Ａ１および上記第２のコネクタ結合体２の軸Ａ２に垂直な方向の配置スペースを小さくできる。
【００４２】
なお、図示しないが、この発明のコネクタ配置構造を、（冷蔵庫、電子レンジ、エアコン、洗濯機、除湿機および空気清浄機等の）家庭用電気機器や、（ファクシミリ、コピーおよびＯＡ機器等の）事務用電子機器に用いてもよい。
【００４３】
ここで、この発明のコネクタ配置構造では、同極のコネクタを用いても、コネクタの結合の誤りを防止できるので、従来のように一方のコネクタにあえて大きめの異極のコネクタを用いる必要がなく、必要最小限の極数のコネクタを用いることができて、コネクタの小型化を図ることができる。つまり、この発明のコネクタ配置構造は、収納する場所のサイズおよび形状に制限があっても十分に対応できる。
【００４４】
したがって、この発明のコネクタ配置構造を家庭用電気機器や事務用電子機器に用いることで、家庭用電気機器の内容積の大型化や、事務用電子機器の小型化を実現できる。
【００４５】
なお、この発明は上述の実施形態に限定されない。例えば、上記第１の雌型コネクタ１０および上記第２の雌型コネクタ２０のそれぞれに雌端子を内蔵し、上記第１の雄型コネクタ１１および上記第２の雄型コネクタ２１のそれぞれに雄端子を内蔵してもよい。
【図面の簡単な説明】
【００４６】
【図１】この発明のコネクタ配置構造の第１実施形態を示す簡略構成図である。
【図２】この発明のコネクタ配置構造の結合状態を示す作用説明図である。
【図３】この発明のコネクタ配置構造の第２実施形態を示す簡略構成図である。
【図４】この発明のコネクタ配置構造の結合状態を示す作用説明図である。
【図５】この発明のコネクタ配置構造の第３実施形態を示す簡略構成図である。
【図６】従来のコネクタ配置構造の結合状態を示す作用説明図である。
【符号の説明】
【００４７】
１    第１のコネクタ結合体
１０    第１の雌型コネクタ
１０ａ  （雄端子付属の）ワイヤ
１１    第１の雄型コネクタ
１１ａ  （雌端子付属の）ワイヤ
２    第２のコネクタ結合体
２０    第２の雌型コネクタ
２０ａ  （雄端子付属の）ワイヤ
２１    第２の雄型コネクタ
２１ａ  （雌端子付属の）ワイヤ
Ａ１  （第１のコネクタ結合体の）軸
Ｐ１  （第１のコネクタ結合体の）中心点
Ａ２  （第２のコネクタ結合体の）軸
Ｐ２  （第２のコネクタ結合体の）中心点
Ｓ    所定平面
【図１】
2006228611.tif 000003
【図２】
2006228611.tif 000004
【図３】
2006228611.tif 000005
【図４】
2006228611.tif 000006
【図５】
2006228611.tif 000007
【図６】
2006228611.tif 000008